(57)【要約】【課題】経済的で且つ高温差し湯要求がある場合にはすぐに高温差し湯を行えてユーザーの利便性を高めることのできる貯湯式給湯装置を提供することを目的とする。【解決手段】湯水を貯湯する貯湯タンク２と、深夜時間帯に貯湯タンク２の湯水を沸き上げる加熱手段３と、貯湯タンク２内の湯水を浴槽に差し湯する差し湯回路１８と、過去の給湯負荷に応じた深夜沸き上げ温度を設定する深夜沸き上げ温度設定部２９とを備えた貯湯式給湯装置において、高温差し湯の要求があると要求アリ信号を出力し、所定の期間高温差し湯の要求がないと要求ナシ信号を出力する高温差し湯要求判断部３０を設け、深夜沸き上げ温度設定部２９は、高温差し湯要求判断部３０からの要求ナシ信号があると深夜沸き上げ温度を過去の給湯負荷に応じた温度に設定し、高温差し湯要求判断部３０からの要求アリ信号があると深夜沸き上げ温度を所定の高温に設定するようにした。【選択図】図１
2008045849.tif 000002
【特許請求の範囲】
【請求項１】
湯水を貯湯する貯湯タンクと、深夜時間帯に前記貯湯タンクの湯水を深夜沸き上げ温度に沸き上げる加熱手段と、前記貯湯タンク内の湯水を浴槽に差し湯する差し湯回路と、過去の給湯負荷に応じた深夜沸き上げ温度を設定する深夜沸き上げ温度設定部とを備えた貯湯式給湯装置において、高温差し湯の要求があると要求アリ信号を出力し、所定の期間高温差し湯の要求がないと要求ナシ信号を出力する高温差し湯要求判断部を設け、前記深夜沸き上げ温度設定部は、前記高温差し湯要求判断部からの要求ナシ信号があると深夜沸き上げ温度を過去の給湯負荷に応じた温度に設定し、前記高温差し湯要求判断部からの要求アリ信号があると深夜沸き上げ温度を所定の高温に設定するようにしたことを特徴とする貯湯式給湯装置。
【発明の詳細な説明】
【技術分野】
【０００１】
本発明は加熱手段で沸き上げた貯湯タンク内の湯水を給湯する貯湯式給湯装置に関するものである。
【背景技術】
【０００２】
従来よりこの種の貯湯式給湯装置では、湯水を貯湯する貯湯タンクと、貯湯タンク内の湯水を加熱する加熱手段と、過去の給湯負荷に応じて所定の深夜時間帯に翌日に必要な熱量を沸き上げるよう深夜沸き上げ設定温度を変更する沸き上げ温度設定部とを備え、一日の終わりの区切り時間に貯湯タンク内の残湯が必要最小限になるようにして貯湯タンクからの放熱量を最小限にするようにしているものが多数ある。
【０００３】
そして、このような貯湯式給湯装置において、浴槽の保温や昇温をするために、高温の湯水を浴槽へ差し湯するようにしたものとして、特許文献１に開示されているように、夜間の沸き上げ運転では給湯負荷に応じた深夜沸き上げ設定温度として、それまでの給湯負荷が少ない場合には深夜沸き上げ温度をできる限り低く設定しておき、浴槽への湯張りを検出すると沸き上げ設定温度を高温に変更してすぐに沸き増し運転を行って、高温差し湯に対応できる温度の湯を沸き上げるようにしているものがあった。
【特許文献１】特開２００３−２５４６０８号公報
【発明の開示】
【発明が解決しようとする課題】
【０００４】
しかし、このような従来のものは、常に過去の給湯負荷に応じて深夜沸き上げ設定温度を変更するため、給湯負荷が少ない日が暫く連続すると、それに応じて深夜沸き上げ運転時の深夜沸き上げ設定温度が低く設定され、浴槽への高温差し湯を行おうとしても、貯湯タンク内に高温の湯が存在しないため、高温差し湯が行えない。
【０００５】
そのため、浴槽への湯張りを行った後に昼間沸き増しの沸き上げ温度を高く設定され、その高い温度で沸き増し運転を行った後に高温差し湯を行うことを可能としているため、高温差し湯の要求があってから実際に高温差し湯が開始されるまでのタイムラグが非常に長く、ユーザーに対し不便であったと共に、浴槽への湯張りが行われた後には必ず沸き増しが行われるので、電力単価の割高な昼間時間帯に沸き増し運転が行われることとなって経済的といえるものではなかった。
【０００６】
そこで、本発明は、経済的で且つ高温差し湯要求がある場合にはすぐに高温差し湯を行えてユーザーの利便性を高めることのできる貯湯式給湯装置を提供することを目的とする。
【課題を解決するための手段】
【０００７】
本発明は上記目的を達成するため、湯水を貯湯する貯湯タンクと、深夜時間帯に前記貯湯タンクの湯水を深夜沸き上げ温度に沸き上げる加熱手段と、前記貯湯タンク内の湯水を浴槽に差し湯する差し湯回路と、過去の給湯負荷に応じた深夜沸き上げ温度を設定する深夜沸き上げ温度設定部とを備えた貯湯式給湯装置において、高温差し湯の要求があると要求アリ信号を出力し、所定の期間高温差し湯の要求がないと要求ナシ信号を出力する高温差し湯要求判断部を設け、前記深夜沸き上げ温度設定部は、前記高温差し湯要求判断部からの要求ナシ信号があると深夜沸き上げ温度を過去の給湯負荷に応じた温度に設定し、前記高温差し湯要求判断部からの要求アリ信号があると深夜沸き上げ温度を所定の高温に設定するようにしたものである。
【発明の効果】
【０００８】
本発明によれば、高温差し湯の要求が過去の所定期間内になかった場合は、深夜沸き上げ温度を通常の給湯負荷に応じた温度に設定するので高温差し湯を利用しないユーザーに対しては貯湯タンクからの自然放熱を最小限とした経済的な沸き上げ運転を行うことができると共に、高温差し湯の要求が過去の所定期間内にあった場合は、深夜沸き上げ温度を所定の高温に設定するので、次回からの高温差し湯をタイムラグなくいつでもすぐに行うことができ高温差し湯をよく利用するユーザーの利便性を高めることができ、しかも、電力単価の安価な深夜時間帯において高温差し湯を考慮した温度に沸き上げるため経済的である。
【発明を実施するための最良の形態】
【０００９】
次に、本発明の一実施形態の貯湯式給湯装置を図面に基づいて説明する。この貯湯式給湯装置は、時間帯別契約電力の電力単価が安価な深夜時間帯に湯水を沸き上げて貯湯し、この貯湯した湯水を給湯に用いるもので、１は湯水を貯湯する貯湯タンク２を備えたタンクユニット、３は貯湯タンク２内の湯水を加熱するヒートポンプユニット等の加熱手段、４は給湯設定温度を設定したり差し湯運転モード等の各種の運転モードを設定、指示するためのリモートコントローラである。
【００１０】
前記貯湯タンクユニット１の貯湯タンク２は、上端に出湯管５と、下端に給水管６とが接続され、さらに、前記加熱手段３と循環可能に接続する往き管７が下部に、戻り管８が上部に接続されている。また、往き管７の途中には貯湯タンク２内の湯水を加熱手段３へ循環させる循環ポンプ９が設けられ、往き管７、循環ポンプ９、加熱手段３、戻り管８で加熱循環回路１０を構成している。また、加熱手段３の前後の往き管７および戻り管８には、それぞれ入水温度センサ１１と沸き上げ温度センサ１２とが設けられている。
【００１１】
次に、１３は前記給水管６から分岐されて貯湯タンク２をバイパスする給水バイパス管、１４は前記出湯管５からの湯水と前記給水バイパス管１３からの水とを混合してその下流の給湯管１５へ給湯する混合弁、１６はこの混合弁１５の下流の給湯管１５に設けられた給湯温度センサ、１７は給湯する湯水の量をカウントする給湯流量カウンタである。
【００１２】
１８は給湯管１５から分岐して浴槽１９に差し湯を行うための差し湯回路で、この差し湯回路１８の途中には差し湯の発停を行わせる差し湯電磁弁２０が設けられている。
【００１３】
次に、２１は貯湯タンク２の上下方向に複数個配置された貯湯温度センサで、この実施形態では５つの貯湯温度センサが配置され上から２１ａ、２１ｂ、２１ｃ、２１ｄ、２１ｅと呼び、この貯湯温度センサ２１が検出する温度情報によって、貯湯タンク２内にどれだけの熱量が残っているかを検知し、そして貯湯タンク２内の上下方向の温度分布を検知するものである。
【００１４】
前記加熱手段３は、冷媒を圧縮する圧縮機２２とガスクーラとしての水−冷媒熱交換器２３と減圧手段としての電子膨張弁２４と強制空冷式の蒸発器２５で構成されたヒートポンプ回路２６と、それらの作動を制御するヒーポン制御部２７とを備えており、ヒートポンプ回路２６内には冷媒として二酸化炭素が用いられ、高圧側で臨界圧力を越える超臨界ヒートポンプサイクルを構成しているものである。これによって、低温水を電熱ヒータなしで約９０℃の高温まで沸き上げることが可能なものである。
【００１５】
２８は深夜時間帯に貯湯タンク２内の湯水を沸き上げるよう加熱手段３へ沸き上げ運転の開始と停止の指示を行うと共に、昼間時間帯に前記貯湯温度センサ２１で検出する貯湯タンク２の残熱量が所定量を下回ると所定の沸き増し運転を開始させる機能を有した貯湯制御部である。
【００１６】
前記貯湯制御部２８には、日々の給湯流量、給湯熱量や貯湯タンク２の残湯量から給湯負荷を演算し、過去の給湯負荷に応じて深夜沸き上げ温度を設定する深夜沸き上げ温度設定部２９と、所定の期間内に高温差し湯の要求があると要求アリ信号を出力し、所定の期間高温差し湯の要求がないと要求ナシ信号を出力する高温差し湯要求判断部３０とが設けられている。
【００１７】
そして、深夜時間帯となって貯湯タンク２内の湯水を沸き上げる際は、前記循環ポンプ９を作動して往き管７から取り出した貯湯タンク２内下部の湯水を前記加熱手段３で前記深夜沸き上げ温度設定部２９で設定された深夜沸き上げ温度に沸き上げ、戻り管８から貯湯タンク２内上部に戻して貯湯される。
【００１８】
そして、給湯栓が開かれると、給水管６からの給水により貯湯タンク２内の湯水が押し上げられて貯湯タンク２内上部の高温水が出湯管５から押し出され、混合弁１４にて給水バイパス管１３からの水と混合されて給湯されるものである。
【００１９】
また、リモートコントローラ４の差し湯スイッチ（図示せず）が操作され、高温差し湯の要求が発生すると、差し湯回路１８途中の差し湯電磁弁２０が開かれ、貯湯タンク２上部に貯められている高温の湯が差し湯回路１８を介して浴槽１９に差し湯され、浴槽水の保温あるいは昇温に供される。
【００２０】
そして、前記高温差し湯要求判断部３０は、高温差し湯の要求が発生したことによって要求アリ信号を深夜沸き上げ温度設定部２９へ出力する。なお、この要求アリ信号は要求ナシになるまで出力されるものである。深夜沸き上げ温度設定部２９においては、要求アリ信号を受けて深夜沸き上げ温度を高温差し湯が可能な所定の高温（例えば８０℃）に設定するようにしている。ここで、この所定の高温よりも過去の給湯負荷に応じた深夜沸き上げ温度の方が高い場合は、高い方の温度を深夜沸き上げ温度として設定するようにしている。
【００２１】
このように、高温差し湯の要求があった場合は、深夜沸き上げ温度設定部２９が深夜沸き上げ温度を所定の高温に設定するので、次回からの高温差し湯をタイムラグなくいつでもすぐに行うことができ高温差し湯をよく利用するユーザーの利便性を高めることができ、しかも、電力単価の安価な深夜時間帯において高温差し湯を考慮した温度に沸き上げるため経済的である。
【００２２】
また、所定の期間（例えば１０日間）にわたり高温差し湯の要求がない状態が継続すると、高温差し湯要求判断部３０は要求ナシ信号を出力する。深夜沸き上げ温度設定部２９においては、この要求ナシ信号を受けて深夜沸き上げ温度を過去の給湯負荷に応じた温度に設定するものであり、高温差し湯を利用しないユーザーに対しては貯湯タンク２からの自然放熱を最小限とした経済的な沸き上げ運転を行うことができる。
【００２３】
前記高温差し湯要求判断部３０は、ユーザーによるリモートコントローラ４の直接操作に基づく高温差し湯の要求の他にも、給湯設定温度あるいは風呂設定温度が時々高温に設定されることによって高温差し湯の要求があると判断するようにしてもよい。
【００２４】
なお、本発明はこの一実施形態に限定されるものではなく、要旨を変更しない範囲で改変することを妨げるものではない。
【図面の簡単な説明】
【００２５】
【図１】本発明の一実施形態の概略構成図。
【符号の説明】
【００２６】
２  貯湯タンク
３  加熱手段
１８  差し湯回路
２９  深夜沸き上げ温度設定部
３０  高温差し湯要求判断部
【図１】
2008045849.tif 000003